(57)【要約】【課題】文章テンプレートを柔軟に作成、編集することができる文書作成装置および文書作成方法を提供する。【解決手段】テンプレート作成手段１１は、文書テンプレートを構成するパーツの入力を受け付けるとともに、当該パーツの性質に応じた表示態様の指定を受け付ける。また、文書作成手段１２による文書テンプレートの表示方法に、指定された表示態様が反映される。【選択図】図１
2009175994.tif 000002
【特許請求の範囲】
【請求項１】
文書テンプレートへの入力操作を受け付けることにより文書の作成を支援する文書作成装置において、
文書テンプレートを作成するための操作を受け付けるテンプレート作成手段と、
前記テンプレート作成手段を介して作成された前記文書テンプレートを表示するとともに、当該文書テンプレートへの入力操作による文書の作成を受け付ける文書作成手段と、
を備え、
前記テンプレート作成手段は、前記文書テンプレートを構成するパーツの入力を受け付けるとともに、当該パーツの性質に応じた表示態様の指定を受け付け、
前記文書作成手段による前記文書テンプレートの表示方法に、指定された前記表示態様が反映されることを特徴とする文書作成装置。
【請求項２】
前記表示態様として、入力された前記パーツとしての文字列に応じて付加される接頭語または接尾語の定義が含まれることを特徴とする請求項１に記載の文書作成装置。
【請求項３】
前記表示態様として、複数の前記パーツ間の関連性の定義が含まれることを特徴とする請求項１に記載の文書作成装置。
【請求項４】
前記表示態様として、入力された前記パーツとしての文字列に応じて、当該文字列と他のパーツとして入力された文字列との前後関係の定義が含まれることを特徴とする請求項３に記載の文書作成装置。
【請求項５】
前記表示態様として、入力された前記パーツとしての文字列に応じて、当該文字列と他のパーツとして入力された文字列との従属関係の定義が含まれることを特徴とする請求項３に記載の文書作成装置。
【請求項６】
前記文書は、医療用検査報告文書であることを特徴とする請求項１〜５のいずれか１項に記載の文書作成装置。
【請求項７】
文書テンプレートへの入力操作を受け付けることにより文書の作成を支援する文書作成方法において、
文書テンプレートを作成するための操作を受け付けるステップと、
前記テンプレート作成するための操作を受け付けるステップを介して作成された前記文書テンプレートを表示するとともに、当該文書テンプレートへの入力操作による文書の作成を受け付けるステップと、
を備え、
前記文書テンプレートを作成するための操作を受け付けるステップでは、前記文書テンプレートを構成するパーツの入力を受け付けるとともに、当該パーツの性質に応じた表示態様の指定を受け付け、
前記文書の作成を受け付けるステップにおける前記文書テンプレートの表示方法に、指定された前記表示態様が反映されることを特徴とする文書作成方法。
【請求項８】
前記文書は、医療用検査報告文書であることを特徴とする請求項６に記載の文書作成方法。
【発明の詳細な説明】
【技術分野】
【０００１】
本発明は、文書テンプレートへの入力操作を受け付けることにより文書の作成を支援する文書作成装置および文書作成方法に関する。
【背景技術】
【０００２】
いわゆる検査レポート等の医療用検査報告文書を端末装置で作成する場合、予め保存されているテンプレートに文字等を入力して文書を作成する方法が用いられている。このような方法によれば、文書すべてをキーボード等によって入力するのに比較して、文書を効率的に作成することが可能となる。
【特許文献１】特開平１１−３０６１７０号公報
【発明の開示】
【発明が解決しようとする課題】
【０００３】
医療用検査報告文書に用いられる文章内の選択項目、入力項目あるいはそれらの項目を用いて作成される文章は画一的でなく、医療システムが変われば要求される項目や完成された文章の形式が異なる。また、検査の種類に応じて、文章の形式を変えたいなどの要求もある。
【０００４】
しかし、従来のシステムでは、文書テンプレートの表示方法や最終的な文書への変換などの手順はプログラムで規定されており、項目や文章形式に応じて個々にプログラムを作り直す必要がある。また、システム稼動後に変更が必要となる場合にもプログラムの再作成を余儀なくされ、柔軟な対応ができない。
【０００５】
本発明の目的は、文章テンプレートを柔軟に作成、編集することができる文書作成装置および文書作成方法を提供することにある。
【課題を解決するための手段】
【０００６】
本発明の文書作成装置は、文書テンプレートへの入力操作を受け付けることにより文書の作成を支援する文書作成装置において、文書テンプレートを作成するための操作を受け付けるテンプレート作成手段と、前記テンプレート作成手段を介して作成された前記文書テンプレートを表示するとともに、当該文書テンプレートへの入力操作による文書の作成を受け付ける文書作成手段と、を備え、前記テンプレート作成手段は、前記文書テンプレートを構成するパーツの入力を受け付けるとともに、当該パーツの性質に応じた表示態様の指定を受け付け、前記文書作成手段による前記文書テンプレートの表示方法に、指定された前記表示態様が反映されることを特徴とする。
この文書作成装置によれば、テンプレート作成手段は、文書テンプレートを構成するパーツの入力を受け付けるとともに、当該パーツの性質に応じた表示態様の指定を受け付け、文書作成手段による文書テンプレートの表示方法に、指定された上記表示態様が反映されるため、文章テンプレートを柔軟に作成、編集することができる。
【０００７】
前記表示態様として、入力された前記パーツとしての文字列に応じて付加される接頭語または接尾語の定義が含まれてもよい。
【０００８】
前記表示態様として、複数の前記パーツ間の関連性の定義が含まれてもよい。
【０００９】
前記表示態様として、入力された前記パーツとしての文字列に応じて、当該文字列と他のパーツとして入力された文字列との前後関係の定義が含まれてもよい。
【００１０】
前記表示態様として、入力された前記パーツとしての文字列に応じて、当該文字列と他のパーツとして入力された文字列との従属関係の定義が含まれてもよい。
【００１１】
前記文書は、医療用検査報告文書であってもよい。
【００１２】
本発明の文書作成方法は、文書テンプレートへの入力操作を受け付けることにより文書の作成を支援する文書作成方法において、文書テンプレートを作成するための操作を受け付けるステップと、前記テンプレート作成するための操作を受け付けるステップを介して作成された前記文書テンプレートを表示するとともに、当該文書テンプレートへの入力操作による文書の作成を受け付けるステップと、を備え、前記文書テンプレートを作成するための操作を受け付けるステップでは、前記文書テンプレートを構成するパーツの入力を受け付けるとともに、当該パーツの性質に応じた表示態様の指定を受け付け、前記文書の作成を受け付けるステップにおける前記文書テンプレートの表示方法に、指定された前記表示態様が反映されることを特徴とする。
この文書作成方法によれば、文書テンプレートを構成するパーツの入力を受け付けるとともに、当該パーツの性質に応じた表示態様の指定を受け付け、文書作成時における文書テンプレートの表示方法に、指定された上記表示態様が反映されるため、文章テンプレートを柔軟に作成、編集することができる。
【００１３】
前記文書は、医療用検査報告文書であってもよい。
【発明の効果】
【００１４】
本発明の文書作成装置によれば、テンプレート作成手段は、文書テンプレートを構成するパーツの入力を受け付けるとともに、当該パーツの性質に応じた表示態様の指定を受け付け、文書作成手段による文書テンプレートの表示方法に、指定された上記表示態様が反映されるため、文章テンプレートを柔軟に作成、編集することができる。
【００１５】
本発明の文書作成方法によれば、文書テンプレートを構成するパーツの入力を受け付けるとともに、当該パーツの性質に応じた表示態様の指定を受け付け、文書作成時における文書テンプレートの表示方法に、指定された上記表示態様が反映されるため、文章テンプレートを柔軟に作成、編集することができる。
【発明を実施するための最良の形態】
【００１６】
以下、図１〜図５を参照して、本発明による文書作成装置の一実施形態について説明する。本実施形態の文書作成装置は、医療用検査報告文書を作成するための装置である。
【００１７】
図１は、本実施形態の文書作成装置の構成を示すブロック図である。
【００１８】
図１に示すように、本実施形態の文書作成装置１は、文書テンプレートを作成するための操作を受け付けるテンプレート作成手段１１と、テンプレート作成手段１１を介して作成された文書テンプレートを表示するとともに、当該文書テンプレートへの入力操作による文書の作成を受け付ける文書作成手段１２と、テンプレート作成手段１１で作成された文書テンプレートを格納するテンプレート保存部１３と、を備える。
【００１９】
図２は、テンプレート作成手段１１の動作手順を示すフローチャートである。
【００２０】
図２のステップＳ１では、ユーザの操作によって指定されたテンプレート名を取得する。
【００２１】
次に、ステップＳ２では、指定されたテンプレート名のテンプレート画面をテンプレート保存部１３から読み込み、表示画面２上に表示する。また、予め登録してあるパーツリストを表示画面上２に表示する。図３はテンプレート画面を例示する図、図４はパーツリストを例示する図である。
【００２２】
次に、ステップＳ３では、表示画面４上でのユーザの操作に従って、パーツをテンプレート画面上に配置する。ここでは、ユーザは、パーツリスト（図４）から必要なパーツを選択し、そのパーツに対してドラッグ＆ドロップなどの操作を行うことにより、テンプレート画面（図３）上に配置することができる。
【００２３】
例えば、図４では、パーツとしてパーツリストから「チェックボックス」のボタン４１Ａを操作する様子が示されており、「チェックボックス」を配置する操作を行うことで、図３に示すようにテンプレート画面にチェックボックス４１が配置される。同様に、パーツリストから「一般入力」のボタン４２Ａ（図４）を操作することにより、図３に示すようにテンプレート画面に入力欄４２が配置される。
【００２４】
次に、ステップＳ４では、ステップＳ３で配置されたパーツについて、そのプロパティをユーザの操作に従って設定する。
【００２５】
パーツのプロパティには以下の表示形式が含まれる。
（１）パーツの表示位置
（２）パーツの表示サイズ
（３）パーツの表示フォント
（４）「コンボボックス」等のパーツに対応する候補リスト
（５）表示条件。例えば、文書作成に際して、文書テンプレートへの入力操作を行った場合に、チェックボックスにより所定の項目が選択された場合に限り、次のチェックボックスが追加表示されるなどの表示条件が含まれる。
【００２６】
次に、ステップＳ５では、ユーザの操作に従って、文書ルールを作成する。
【００２７】
ここでは、ステップＳ３で配置されたパーツとの関連で、文書の作成方法が定義される。例えば、文書作成に際して、ステップＳ３で配置されたパーツに対する入力操作、あるいは当該パーツへの入力操作を行った場合、その入力された情報や、その情報に付加する文字列などを用いて、どのような文章にまとめるのかが定義される。
【００２８】
具体的には、
（１）ステップＳ３で配置されたパーツに入力され、あるいは当該パーツにおいて選択された文字列に応じて付加される接頭語や接尾語を定義できる。例えば、当該パーツに入力された文字列の内容や品詞に応じた適切な接頭語や接尾語を指定できる。
（２）ステップＳ３で配置されたパーツに入力され、あるいは当該パーツにおいて選択された文字列と、他のパーツにおいて入力され、あるいは選択された文字列との前後関係を定義できる。例えば、ステップＳ３で配置されたパーツに数値が入力された場合には、その前には特定のデータ名やデータ名を選択するための「コンボボックス」を表示させるとともに、入力された数値の後には特定の単位や単位を選択するための「コンボボックス」を表示させる旨を指定できる。
（３）ステップＳ３で配置されたパーツと、他のパーツ間の従属関係を定義できる。例えば、ステップＳ３で配置されたパーツに入力され、あるいは当該パーツにおいて選択された文字列が特定の文字列であった場合に限り、その文字列の下位にある文字列をさらに入力、あるいは選択できるように設計できる。
【００２９】
次に、ステップＳ６では、ユーザの操作に従って、パーツの追加が要求されているか否か判断し、判断が肯定されればステップＳ３へ戻り、判断が否定されればステップＳ７へ進む。
【００３０】
ステップＳ７では、パーツの削除が要求されているか否か判断し、判断が肯定されればステップＳ８へ進み、判断が否定されればステップＳ９へ進む。ステップＳ８では、ユーザの操作に応じて、指定されたパーツを文書テンプレートから削除し、ステップＳ６へ戻る。
【００３１】
ステップＳ９では、パーツのプロパティあるいは文書ルールの変更が要求されているか否か判断し、判断が肯定されればステップＳ４へ戻り、判断が否定されればステップＳ１０へ進む。
【００３２】
ステップＳ１０では、作成された文書テンプレートをテンプレート保存部１３へ保存し、処理を終了する。
【００３３】
図５は、文書作成手段１２により文書の作成を受け付ける際に、表示画面４に表示される報告書登録画面を例示する図である。
【００３４】
文書作成手段１２による文書作成を行う場合、ユーザはテンプレート名を指定するなどして、テンプレート保存部１３に保存された文書テンプレートの中から所望の文書テンプレートを選択する。図５に示すように、報告書登録画面には、選択された文書テンプレートの表示領域４５があり、表示領域４５の文書テンプレートのパーツに文字列を入力し、あるいは選択操作を施すことで、文書を効率的に作成することができる。領域４６は、報告書の書誌的事項を入力するための領域であり、書誌的事項が報告書に含まれる。報告書の作成が終了すると、報告書がファイルとして出力、登録される。
【００３５】
表示領域４５の表示には、文書テンプレート作成時に指定したパーツのプロパティ（図２のステップＳ４）や文書ルール（図２のステップＳ５）が反映される。
【００３６】
例えば、「肝上葉部に１０ｍｍ径の血腫を認める」という文章を作成する場合に、＜肝上葉部＞に＜１０＞ｍｍ径の＜血腫＞を認める」というように、「＜＞」で示す部分を入力あるいは選択することにより、他の文字列が自動的に表示され、文書全体が作成される。
【００３７】
また、例えば、患部を入力したい場合に、大まかな部位（例えば、「頭部」）をパーツで選択すると、「頭部」に属する詳細部位を選択するための「コンボボックス」や「チェックボックス」が表示され、詳細な部位を選択する操作により文書作成を行える。この場合、文書テンプレートの作成時に、大まかな部位と詳細部位との従属関係を指定しておけばよい。
【００３８】
一旦、テンプレート保存部１３に格納された文書テンプレートは、テンプレート作成手段１１によって自由に編集することができ、テンプレート保存部１３に追加保存、あるいは上書き保存できる。これにより、文書テンプレートの細かい変更要求に対し、即座に対応可能となる。また、検査の種類ごとに少しずつ異なる文書テンプレートを効率的に作成することも可能となる。
【００３９】
なお、文書作成装置１の販売時に、テンプレート保存部１３に予め標準的な文書テンプレートを格納しておくことで、ユーザはその文書テンプレートをそのまま利用し、あるいはカスタマイズして利用できるため、ユーザの作業負担をより軽減できる。
【００４０】
以上のように、本実施形態の文書作成装置によれば、テンプレート作成手段１１は、文書テンプレートを構成するパーツの入力を受け付けるとともに、当該パーツの性質に応じた表示態様の指定（図２のステップＳ４およびステップＳ５）を受け付ける。また、文書作成手段１２による文書テンプレートの表示方法に、指定された表示態様が反映される。このように、ユーザにより文書テンプレートを作成することができるため、ユーザの事情に応じた形式の文書を容易に作成可能となるとともに、文書テンプレートを容易にカスタマイズすることができる。
【００４１】
以上説明したように、本発明の文書作成装置によれば、テンプレート作成手段は、文書テンプレートを構成するパーツの入力を受け付けるとともに、当該パーツの性質に応じた表示態様の指定を受け付け、文書作成手段による文書テンプレートの表示方法に、指定された上記表示態様が反映されるため、文章テンプレートを柔軟に作成、編集することができる。
【００４２】
本発明の適用範囲は上記実施形態に限定されることはない。本発明は、文書テンプレートへの入力操作を受け付けることにより文書の作成を支援する文書作成装置および文書作成方法に対し、広く適用することができる。
【図面の簡単な説明】
【００４３】
【図１】一実施形態の文書作成装置の構成を示すブロック図。
【図２】テンプレート作成手段の動作手順を示すフローチャート。
【図３】テンプレート画面を例示する図。
【図４】パーツリストを例示する図。
【図５】報告書登録画面を例示する図。
【符号の説明】
【００４４】
１      文書作成装置
１１    テンプレート作成手段
１２    文書作成手段
【図１】
2009175994.tif 000003
【図２】
2009175994.tif 000004
【図３】
2009175994.tif 000005
【図４】
2009175994.tif 000006
【図５】
2009175994.tif 000007